(57)【要約】【課題】パス切り替え時間の短縮化を図る。【解決手段】光伝送装置は、光源１３１と、モニタ２２５と、制御部２２８と、を備えてよい。モニタ２２５は、ワーク波長に対して利用可能な複数のプロテクション波長の受信光を光源１３１の出力光によってコヒーレント検波して得られた信号に基づいて、前記複数のプロテクション波長の受信光と光源１３１の出力光との間の周波数オフセットをモニタしてよい。制御部２２８は、モニタ２２５でモニタされた周波数オフセットに基づいて、ワーク波長の切り替え先となるプロテクション波長の選択を制御してよい。【選択図】図５
2017028405.tif 000002
【特許請求の範囲】
【請求項１】
受信光をコヒーレント検波するための光を出力する光源と、
ワーク波長に対して利用可能な複数のプロテクション波長の受信光を前記光源の出力光によってコヒーレント検波して得られた信号に基づいて、前記複数のプロテクション波長の受信光と前記光源の出力光との間の周波数オフセットをモニタするモニタと、
前記モニタでモニタされた前記周波数オフセットに基づいて、前記ワーク波長の切り替え先となるプロテクション波長の選択を制御する制御部と、
を備えた、光伝送装置。
【請求項２】
前記制御部は、前記周波数オフセットが相対的に小さいプロテクション波長を、前記ワーク波長の切り替え先に選択する、請求項１に記載の光伝送装置。
【請求項３】
前記制御部は、前記周波数オフセットが相対的に小さいプロテクション波長を複数選択しておき、前記ワーク波長の受信光の断検出後に前記モニタでモニタされた前記周波数オフセットに基づいて、前記複数選択したプロテクション波長の中から、前記ワーク波長の切り替え先となるプロテクション波長を選択し、前記選択したプロテクション波長に前記ワーク波長を切り替える、請求項１又は２に記載の光伝送装置。
【請求項４】
前記モニタは、運用中に、前記ワーク波長の受信光と前記光源の出力光との間の周波数オフセットをモニタし、
前記制御部は、前記ワーク波長が割り当てられているルートと同じルートに割り当てられているプロテクション波長の周波数オフセットを、前記運用中に前記モニタでモニタされた前記ワーク波長の周波数オフセットによって更新する、請求項１〜３のいずれか１項に記載の光伝送装置。
【請求項５】
ワーク波長に対して利用可能な複数のプロテクション波長の受信光を、光源の出力光によってコヒーレント検波し、
前記コヒーレント検波によって得られた信号に基づいて、前記複数のプロテクション波長の受信光と前記光源の出力光との間の周波数オフセットをモニタし、
前記モニタされた前記周波数オフセットに基づいて、前記ワーク波長の切り替え先となるプロテクション波長の選択を制御する、
プロテクション波長選択方法。
【発明の詳細な説明】
【技術分野】
【０００１】
本明細書に記載する技術は、光伝送装置及びプロテクション波長選択方法に関する。
【背景技術】
【０００２】
光ネットワークにおいて、光通信の信頼性向上のために、現用パスに対して複数の予備パスが設定されることがある。なお、「現用パス」及び「予備パス」は、それぞれ、「ワークパス」及び「プロテクションパス」と称されることがある。
【０００３】
現用パスの通信に障害が生じると、現用パスを予備パスのいずれかに切り替えることで、現用パスの通信を予備パスで救済することができる。
【先行技術文献】
【特許文献】
【０００４】
【特許文献１】特開２０１１−１６０１４６号公報
【特許文献２】特開２０１１−１３００７８号公報
【発明の概要】
【発明が解決しようとする課題】
【０００５】
現用パスの切り替え先の予備パスには、信号品質（例えば、ビットエラーレート、ＢＥＲ）の最良の予備パスが選ばれることがある。ＢＥＲが最良の予備パスを選択可能とするためには、予め各予備パスのＢＥＲをモニタしておく。
【０００６】
しかしながら、ＢＥＲのモニタでは、モニタ時間が長くなり、結果的に、現用パスから予備パスへの切り替え時間が長期化するおそれがある。なお、光通信において、パスは例えば波長によって識別可能である。そのため、パスの切り替えは、波長の切り替えと捉えてもよい。
【０００７】
１つの側面では、本明細書の記載する技術の目的の１つは、パス切り替え時間の短縮化を図ることにある。
【課題を解決するための手段】
【０００８】
１つの側面において、光伝送装置は、光源と、モニタと、制御部と、を備えてよい。光源は、受信光をコヒーレント検波するための光を出力してよい。モニタは、ワーク波長に対して利用可能な複数のプロテクション波長の受信光を前記光源の出力光によってコヒーレント検波して得られた信号に基づいて、前記複数のプロテクション波長の受信光と前記光源の出力光との間の周波数オフセットをモニタしてよい。制御部は、前記モニタでモニタされた前記周波数オフセットに基づいて、前記ワーク波長の切り替え先となるプロテクション波長を選択してよい。
【０００９】
また、１つの側面において、プロテクション波長選択方法は、ワーク波長に対して利用可能な複数のプロテクション波長の受信光を、光源の出力光によってコヒーレント検波し、前記コヒーレント検波によって得られた信号に基づいて、前記複数のプロテクション波長の受信光と前記光源の出力光との間の周波数オフセットをモニタし、前記モニタされた前記周波数オフセットに基づいて、前記ワーク波長の切り替え先となるプロテクション波長の選択を制御してよい。
【発明の効果】
【００１０】
１つの側面として、パス切り替え時間の短縮化を図ることができる。
【図面の簡単な説明】
【００１１】
【図１】一実施形態に係る光伝送システムの構成例を示すブロック図である。
【図２】一実施形態に係る、送受信に共用の光源を備えたトランスポンダ（ＴＲＰ）ユニットの構成例を示すブロック図である。
【図３】図２に例示したＴＲＰユニットにおける、受信波長とローカル光との周波数オフセットに応じた波長差の概念を説明するための模式図である。
【図４】一実施形態に係るＴＲＰユニットの構成例を示すブロック図である。
【図５】図４に例示したデジタル信号処理部の構成例を示すブロック図である。
【図６】図１に例示した、或るノードとＴＲＰユニットとに着目した構成を示すブロック図である。
【図７】第１実施例に係る、周波数オフセットに基づくプロテクション波長の選択、決定の一例を説明するためのフローチャートである。
【図８】第２実施例に係る、周波数オフセットに基づくプロテクション波長の選択、決定の一例を説明するためのフローチャートである。
【図９】第２実施例に係る、周波数オフセットに基づくプロテクション波長の選択、決定の一例を説明するためのフローチャートである。
【図１０】第３実施例に係る、図１に例示した、或るノードとＴＲＰユニットとに着目した構成を示すブロック図である。
【図１１】第３実施例に係る、波長ルート対プロテクション波長選択情報の一例を示す図である。
【図１２】第４実施例に係る、図１に例示した、或るノードとＴＲＰユニットとに着目した構成を示すブロック図である。
【図１３】第４実施例に係る、周波数オフセットに基づくプロテクション波長の選択、決定の一例を説明するためのフローチャートである。
【図１４】第４実施例に係る、周波数オフセットに基づくプロテクション波長の選択、決定の一例を説明するためのフローチャートである。
【図１５】第４実施例に係る、ＴＲＰ毎波長対波長差情報の一例を示す図である。
【図１６】図１５に例示したＴＲＰ毎波長対波長差情報に基づくＴＲＰソート例を説明するための図である。
【図１７】図１６に例示したＴＲＰソート例に基づくＴＲＰ選択例を説明するための図である。
【図１８】図１４に例示した、ＴＲＰユニットにおける波長差の収集処理の一例を示すフローチャートである。
【図１９】第５実施例に係る、ＴＲＰ毎波長ルート対プロテクション波長選択情報の一例を示す図である。
【発明を実施するための形態】
【００１２】
以下、図面を参照して実施の形態を説明する。ただし、以下に説明する実施形態は、あくまでも例示であり、以下に明示しない種々の変形や技術の適用を排除する意図はない。また、以下に説明する各種の例示的態様は、適宜に組み合わせて実施しても構わない。なお、以下の実施形態で用いる図面において、同一符号を付した部分は、特に断らない限り、同一若しくは同様の部分を表す。
【００１３】
図１は、一実施形態に係る光伝送システムの構成例を示すブロック図である。「光伝送システム」は、「光ネットワーク」と称してもよい。光ネットワークの一例は、波長多重光（ＷＤＭ光）を伝送するＷＤＭ光ネットワークである。
【００１４】
図１に例示するように、光ネットワーク１は、複数の光伝送装置１１−１〜１１−ｎ（＃１〜＃ｎ）を備えてよい。「ｎ」は、２以上の整数であり、図１の例では、ｎ＝１１である。光伝送装置１１−１〜１１−ｎを区別しなくてよい場合は、光伝送装置（＃ｉ）１１−ｉ（ｉ＝１〜ｎのいずれか）、あるいは、単に「光伝送装置１１」と表記することがある。「光伝送装置」は、「ノード」あるいは「局」と称されてもよい。
【００１５】
ノード１１は、光ネットワーク１のエレメント（ＮＥ）の一例であり、例示的に、ＷＤＭ光の伝送をサポートするＷＤＭノードやＲＯＡＤＭ（Reconfigurable optical add-drop multiplexer）ノードであってよい。
【００１６】
ノード１１間は、光伝送路によって光通信可能に接続されてよい。光伝送路は、光ファイバを用いた光ファイバ伝送路であってよい。光ネットワーク１は、ノード１１が光伝送路によってメッシュ状に接続されたメッシュネットワークでもよいしリング状に接続されたリングネットワークでもよい。
【００１７】
ノード１１には、例示的に、１又は複数のトランスポンダ（ＴＲＰ）ユニットが接続されてよい。例えば、ノード＃１には、ＴＲＰユニット（＃１）１２−１が接続されてよい。ノード＃２には、ＴＲＰユニット（＃２）１２−２が接続されてよい。ノード＃４には、ＴＲＰユニット＃３〜＃５のいずれかが接続されてよい。
【００１８】
ノード＃５には、ＴＲＰユニット（＃６）１２−６及びＴＲＰユニット（＃７）１２−７が接続されてよい。ノード＃６には、ＴＲＰユニット（＃６）１２−６及びＴＲＰユニット（＃８）１２−８が接続されてよい。
【００１９】
ノード＃７には、ＴＲＰユニット（＃９）１２−９が接続されてよく、ノード＃８には、ＴＲＰユニット（＃１０）１２−１０が接続されてよい。ノード＃９には、ＴＲＰユニット（＃１１）１２−１１が接続されてよく、ノード＃１１には、ＴＲＰユニット（＃１２）１２−１２が接続されてよい。
【００２０】
なお、ＴＲＰユニット＃ｊ（ｊは、２以上の整数であって、図１の例では、ｊ＝１〜１２のいずれかである。）は、便宜的に、ＴＲＰ＃ｊ、あるいは、ＴＲＰ１２と略称することがある。ＴＲＰ１２は、ノード１１に内蔵されていてもよい。
【００２１】
図１の例において、ＴＲＰ＃１は、例示的に、ノード＃１−＃２−＃３−＃４−＃５を介して、ＴＲＰ＃６と通信することが可能である。
【００２２】
ＴＲＰ＃２は、例示的に、ノード＃３を介して、ＴＲＰ＃３と通信することが可能である。
【００２３】
ＴＲＰ＃４は、例示的に、ノード＃４−＃５−ＴＲＰ＃６−ノード＃６を介して、ＴＲＰ＃８と通信することが可能である。
【００２４】
ＴＲＰ＃９は、例示的に、ノード＃７−＃８を介して、ＴＲＰ＃１０と通信することが可能である。
【００２５】
ＴＲＰ＃１１は、例示的に、ノード＃９−＃１０−＃１１を介して、ＴＲＰ＃１２と通信することが可能である。
【００２６】
ノード＃１とノード＃５との間には、ノード＃２−＃３−＃４を経由するルートＣと、ノード＃７−＃８を経由するルートＤと、ノード＃９−＃１０−＃１１を経由するルートＥと、が設定されてよい。
【００２７】
ルートＣ、Ｄ及びＥのいずれか１つが現用ルートに設定され、残り２つのルートが予備ルートに設定されてよい。「現用」及び「予備」は、それぞれ、「ワーク」及び「プロテクション」と称されてよい。図１の例では、ルートＣがワークルートに相当し、ルートＤ及びＥが、ワークルートＣに対するプロテクションルートに相当する。
【００２８】
ルートＣ、Ｄ及びＥには、それぞれ、１又は複数の光パスが設定されてよい。光パスは、波長によって識別されてよい。そのため、「光パス」は、「波長パス」とされてもよい。
【００２９】
ワークルートに設定された光パスは、便宜的に、「ワークパス」と称してよく、プロテクションルートに設定された光パスは、便宜的に、「プロテクションパス」と称してよい。
【００３０】
便宜的に、ワークルートＣに設定されたワークパスを「ワークパスＣ」と表記し、プロテクションルートＤ及びＥに設定されたプロテクションパスをそれぞれ「プロテクションパスＤ及びＥ」と表記することがある。
【００３１】
ワークパスＣに障害等が発生すると、ワークパスＣをプロテクションパスＤ及びＥのいずれかに切り替えることで、ワークパスＣの通信を、プロテクションパスＤ及びＥのいずれかによって救済することができる。
【００３２】
例えば、ＴＲＰ＃ｊは、複数波長（例えば、３波長以上）の光の送受信が可能であり、いずれか１つの波長をワークパスの通信に用い、残りの波長をプロテクションパスの通信に用いることができる。便宜的に、ワークパスの通信に用いられる波長は「ワーク波長」と称してよく、プロテクションパスの通信に用いられる波長は「プロテクション波長」と称してよい。
【００３３】
ＴＲＰ＃ｊは、ワークパスの通信にエラーが生じると、いずれかのプロテクション波長を選択して当該プロテクション波長にワーク波長を切り替えることで、エラーの生じたワークパスの通信を、プロテクションパスによって救済できる。
【００３４】
３波長以上の光を送受信可能なＴＲＰ＃ｊによれば、ＯＵＰＳＲ（Optical Unidirectional Path Switched Ring）のような２波長のいずれかをワーク波長に選択する技術に比して、より柔軟で動的なパス切り替えが可能である。
【００３５】
ここで、複数のプロテクション波長のいずれを新たなワーク波長に選択するかは、例示的に、プロテクション波長の通信における信号品質に基づいて決定されてよい。例えば、光ネットワーク１の運用開始前に、予め利用可能なプロテクション波長の信号のビットエラーレート（ＢＥＲ）を監視、測定しておき、ＢＥＲが最小のプロテクション波長を新たなワーク波長に選んでよい。ＢＥＲの監視対象は、例えば、信号のオーバヘッド（ＯＨ）でよい。
【００３６】
しかし、信号のＢＥＲを監視する場合、プロテクションパスに高い信号品質が要求されるほど、監視時間が長期化しやすい。例えば、数デシベル（ｄＢ）程度の光信号対雑音比（ＯＳＮＲ）の悪化も許容されないパスについては、１０−９（ＢＥＲ−９）以下や、１０−１１（ＢＥＲ−１１）以下といった、非常に小さなＢＥＲが満たされているかを確認する必要がある。
【００３７】
信号断（ＬＯＳ：Loss of Signal）や、１０−６（ＢＥＲ−６）程度以上のＢＥＲであれば、数１００ミリ秒（ｍｓ）程度以下の時間で検出が可能であるが、ＢＥＲ−９やＢＥＲ−１１のように非常に小さいＢＥＲの検出には、数分以上の時間がかかることがある。
【００３８】
そのため、ワーク波長に対して利用可能なプロテクション波長数が増加するほど、運用開始前又は運用中においてプロテクション波長の信号を監視する時間が長くなり得る。例えば、ＢＥＲ−１１では、少なくとも、ＢＥＲの検出に約１００秒、復旧に約３００秒の時間がかかることがある。
【００３９】
そのため、１つのプロテクション波長のＢＥＲを監視するのに、約５００秒以上かかることがある。監視対象のプロテクション波長が例えば８波長存在すれば、トータルで約４０００秒（１時間以上）もの時間がプロテクション波長の監視にかかってしまうことになる。
【００４０】
また、ＷＤＭ光ネットワーク１の伝送容量の拡大や伝送帯域の効率的な利用のために、ＷＤＭ光の伝送帯域において、ＷＤＭ光に含まれる光の波長間隔が狭小化されると、隣り合う波長の光のクロストークによって、信号光にビットエラーが生じ易くなる。信号光にビットエラーが生じ易くなると、プロテクション波長の信号が所定のＢＥＲを満足しているか確認するための監視時間が更に増加し得る。
【００４１】
例えば、近年のＩｏＴ（Internet of Things）等の普及により、ネットワークの伝送容量の需要が急増することが見込まれるため、光ネットワーク１のコアネットワークの一例であるＷＤＭ光ネットワークの伝送容量の拡大化が試みられている。
【００４２】
ＷＤＭ光ネットワークの伝送容量を拡大化する方法の一例としては、１波長あたりの伝送容量を増加する方法や、ＷＤＭ光の伝送帯域（便宜的に「ＷＤＭ伝送帯域」と称することがある。）において利用可能な波長数を増加する方法がある。
【００４３】
１波長あたりの伝送容量の増加は、例示的に、ＱＰＳＫ（Quadrature Phase Shift Keying）やＱＡＭ（Quadrature Amplitude Modulation）等の変調方式、偏波多重方式、あるいは、これらの組み合わせを用いて、１波長あたりに伝送可能なビット数を増やすことで実現できる。
【００４４】
一方、ＷＤＭ伝送帯域における波長数の増加は、できるだけ非線形効果等の影響を受けにくい帯域において、隣り合う波長どうしの間隔（便宜的に「波長間隔」と称してよい）を狭小化することで実現できる。
【００４５】
例えば、或るＷＤＭ伝送帯域において波長間隔５０ＧＨｚで８８波長を波長多重することが可能な場合、波長間隔を１／８の６．２５ＧＨｚに狭小化することで、１２０波長をＷＤＭ伝送帯域において波長多重できる。
【００４６】
ただし、波長間隔が狭小化されると、ＷＤＭ光の送受信に関わるＴＲＰ＃ｊどうしの光源（例えば、レーザ）の波長（又は周波数）設定に、波長間隔が狭小化されない通常の場合に比して、ハードウェア（ＨＷ）依存の誤差も含めて高い精度が求められる。
【００４７】
例えば、光源の波長設定に関して、通常では５００ＭＨｚ程度の周波数誤差が許容されるのに対し、波長間隔が狭小化されると、１００ＭＨｚ以内の周波数誤差しか許容されないことがある。
【００４８】
また、ＴＲＰ＃ｊには、送信用と受信用とで２つの光源が備えられることもあるが、ＴＲＰ＃ｊの小型化と低コスト化とを図るために、送受信に共用の１つの光源しかＴＲＰ＃ｊに備えられないことがある。
【００４９】
光源が送受信に共用であると、送信と受信とで個別に或る周波数誤差精度を満たせばよい、という訳にはいかず、送受信の双方について期待する周波数誤差精度を満たすことが求められる。そのため、光源の波長設定に長時間を要するおそれがある。最悪の場合、期待する周波数誤差精度で波長設定を実現できないパスが生じる可能性もある。
【００５０】
図２に、送受信に共用の光源を備えたＴＲＰの構成例を示す。第１のＴＲＰ＃Ａは、双方向のそれぞれに対応する光伝送路を介して、第２のＴＲＰ＃Ｂと双方向の光通信が可能である。なお、例示的に、ＴＲＰ＃Ａは、図１に例示したＴＲＰ＃１に相当してよく、ＴＲＰ＃Ｂは、図１に例示したＴＲＰ＃６に相当してよい。
【００５１】
ＴＲＰ＃Ａは、例示的に、フレーマ１２１Ａ、デジタル信号処理部（ＤＳＰ）１２２Ａ、及び、光送受信部１２３Ａを備えてよい。光送受信部１２３Ａは、例示的に、光源１３１Ａ、光送信部１３２Ａ、及び、光受信部１３３Ａを備えてよい。
【００５２】
フレーマ１２１Ａは、例示的に、ＳＤＨやＳＯＮＥＴ等の同期デジタルネットワークやイーサネット（登録商標）等から受信した信号を、光伝送路へ送信するフレーム信号にマッピングする。「ＳＤＨ」は「synchronous digital hierarchy」の略称であり、「ＳＯＮＥＴ」は、「synchronous optical network」の略称である。
【００５３】
同期デジタルネットワークやイーサネットは、コアネットワークの一例である光ネットワーク１に対して、クライアントネットワークあるいはトリビュータリネットワークと称されてよい。クライアントネットワーク（又はトリビュータリネットワーク）を伝送される信号は、クライアント信号（又はトリビュータリ信号）と称されよい。
【００５４】
コアネットワークの一例である光ネットワーク１において、光伝送路を伝送される信号光は、例示的に、ＯＴＮ（Optical Transport Network）のフレームフォーマットを有していてよい。ＯＴＮのフレームフォーマットを有する信号光は、便宜的に、ＯＴＮフレームあるいはＯＴＮ信号と称してよい。
【００５５】
フレーマ１２１Ａは、クライアントネットワークから受信したクライアント信号を、ＯＴＮフレームにマッピングしてよい。例えば、クライアント信号は、ＯＴＮフレームの時分割スロットの一例であるトリビュータリスロット（ＴＳ）にマッピングされてよい。
【００５６】
また、フレーマ１２１Ａは、光伝送路から受信したＯＴＮフレームにマッピングされているクライアント信号をデマッピングしてよい。デマッピングされたクライアント信号は、当該クライアント信号の宛先に応じたクライアントネットワークへ送信されてよい。
【００５７】
ＤＳＰ１２２Ａは、演算能力を備えた演算装置の一例である。演算装置は、「プロセッサデバイス」あるいは「プロセッサ回路」と称してもよい。ＤＳＰ１２２Ａは、例示的に、フレーマ１２１Ａとの間で送受信されるフレーム信号をデジタル信号処理する。デジタル信号処理には、送信デジタル信号処理と受信デジタル信号処理との一方又は双方が含まれてよい。
【００５８】
送信デジタル信号処理には、送信フレーム信号の波形整形や予等化等の処理が含まれてよい。送信デジタル信号処理されたフレーム信号に応じた電気信号が、例示的に、光送信部１３２Ａに備えられた光変調器（後述）の駆動信号に用いられてよい。
【００５９】
受信デジタル信号処理には、例示的に、適応等化や誤り訂正復号等の処理が含まれてよい。受信デジタル信号処理によって、光伝送路を伝送された信号光の受信特性の劣化要因である、波長分散（ＣＤ）や、偏波モード分散（ＰＭＤ）、偏波依存損失（ＰＤＬ）、非線形効果等を、数値的に求めて補償することが可能である。
【００６０】
光送受信部１２３Ａにおいて、光源１３１Ａは、設定波長（λｓｅｔ）の光を発光、出力する。光源１３１Ａの出力光は、「ローカル光」と称されてもよい。ローカル光が、光送信部１３２Ａでの光変調と、光受信部１３３Ａでのコヒーレント検波と、に用いられてよい。光源１３１Ａには、例示的に、半導体レーザダイオード（ＬＤ）が適用されてよい。ＬＤには、出力波長が可変のチューナブルＬＤが適用されてよい。
【００６１】
光送信部１３２Ａは、例示的に、図示を省略した光変調器を備え、当該光変調器に、ＤＳＰ１２２Ａで送信デジタル信号処理によって生成された駆動信号が入力される。光変調器は、例示的に、光源１３１Ａの出力光を駆動信号に応じて変調することで送信変調信号光を生成してＴＲＰ＃Ｂに繋がる光伝送路（図２の例ではパス＃１）へ送信する。
【００６２】
光受信部１３３Ａは、例示的に、光源１３１Ａのローカル光を、ＴＲＰ＃Ｂに繋がる光パス（図２の例ではパス＃２）から受信した変調信号光に、例えば９０度位相ハイブリッドミキサにてミキシングすることで、受信変調信号光をコヒーレント検波する。
【００６３】
コヒーレント検波によって、光受信部１３３Ａで受信を期待する波長（「受信希望波長」と称してもよい。）の光が抽出されて復調される。復調された信号光は、電気信号に変換され、ＤＳＰ１２２Ａにて受信デジタル信号処理が施される。
【００６４】
受信信号光が、ＤＰ−ＱＰＳＫやＤＰ−ＱＡＭのような偏波多重変調信号光である場合、光受信部１３３Ａでは、例えば、２つの異なる偏波成分毎に、９０度位相ハイブリッドミキサを用いて、受信信号光とローカル光とをミキシングしてよい。
【００６５】
これにより、２つの異なる偏波成分（Ｘ，Ｙ）のそれぞれについて同相（Ｉ）成分及び直交（Ｑ）成分の合計４つの系統（「レーン」と称してもよい。）で信号光（ＸＩ，ＸＱ，ＹＩ，ＹＱ）が復調される。なお、「ＤＰ−ＱＰＳＫ」は、「dual polarization - quadrature phase shift keying」の略称であり、「ＤＰ−ＱＡＭ」は、「dual polarization - quadrature amplitude modulation」の略称である。
【００６６】
４レーン分の信号光は、それぞれ、例えばＰＤ（フォトディテクタ又はフォトダイオード）にて受光されて、受光パワーに応じた電気信号（ＥＸＩ，ＥＸＱ，ＥＹＩ，ＥＹＱ）に変換されてよい。
【００６７】
４レーン分の電気信号（ＥＸＩ，ＥＸＱ，ＥＹＩ，ＥＹＱ）が、ＤＳＰ１２２Ａに入力されてよい。ＤＳＰ１２２Ａは、入力された４レーン分の電気信号（ＥＸＩ，ＥＸＱ，ＥＹＩ，ＥＹＱ）をデジタル信号処理してよい。
【００６８】
なお、ＴＲＰ＃Ｂの構成は、上述したＴＲＰ＃Ａの構成と同様でよい。例示的に、ＴＲＰ＃Ｂは、フレーマ１２１Ｂ、デジタル信号処理部（ＤＳＰ）１２２Ｂ、及び、光送受信部１２３Ｂを備えてよい。光送受信部１２３Ｂには、例示的に、光源１３１Ｂ、光送信部１３２Ｂ、及び、光受信部１３３Ｂが備えられてよい。
【００６９】
フレーマ１２１Ｂ、ＤＳＰ１２２Ｂ、及び、光送受信部１２３Ｂの機能は、それぞれ、ＴＲＰ＃Ａのフレーマ１２１Ａ、ＤＳＰ１２２Ａ、及び、光送受信部１２３Ａの機能と同一若しくは同様でよい。
【００７０】
光送受信部１２３Ｂにおける光源１３１Ｂ、光送信部１３２Ｂ、及び、光受信部１３３Ｂの機能も、それぞれ、ＴＲＰ＃Ａの光送受信部１２３Ａにおける光源１３１Ａ、光送信部１３２Ａ、及び、光受信部１３３Ａの機能と同一若しくは同様でよい。
【００７１】
そのため、ＴＲＰ＃Ａ及びＴＲＰ＃Ｂのエレメントを区別しなくて良い場合は、「Ａ」及び「Ｂ」の符号を省略して記載することがある。例えば、フレーマ１２１Ａ及びフレーマ１２１Ｂは、フレーマ１２１と略記することがある。他のエレメントについても同様である。
【００７２】
ＴＲＰ＃Ａ及び＃Ｂの各光源１３１が出力するローカル光の波長λｓｅｔの設定は、例示的に、光ネットワーク１のネットワーク管理者（オペレータ又はユーザと称してもよい。）によって実施されてよい。
【００７３】
例えば、オペレータは、光ネットワーク１における各ノード１１の動作を集中的に管理、制御することが可能なＮＭＳやＯＰＳによって、光源１３１の波長λｓｅｔを設定してよい。「ＮＭＳ」は、「network management system」の略称であり、「ＯＰＳ」は「operation system」の略称である。あるいは、オペレータは、オペレータ端末を用いて個々のノード１１における光源１３１の波長（λｓｅｔ）設定を行なってもよい。
【００７４】
ここで、光源１３１は、設定波長λｓｅｔのローカル光を出力しようとするが、ＬＤの個体誤差等によって、実際に出力される波長は、設定波長λｓｅｔからずれることがある。
【００７５】
便宜的に、ＴＲＰ＃Ａにおける光源１３１Ａから実際に光送信部１３２Ａ及び光受信部１３３Ａに入力される波長は、「λＡ０」であると仮定する。また、ＴＲＰ＃Ｂにおける光源１３１Ｂから実際に光送信部１３２Ｂ及び光受信部１３３Ｂに入力される波長は、「λＢ０」であると仮定する。
【００７６】
更に、ＴＲＰ＃Ａの光送信部１３２Ａからパス＃１へ送信される波長「λＡＴ」は、光送信部１３２Ａの固体誤差やパス＃１の光伝送路の個体誤差等によって、ＴＲＰ＃Ｂで受信される際には、「λＡＴ′」に変化していることがある。
【００７７】
そのため、ＴＲＰ＃Ｂの光受信部１３３Ｂにおいて、パス＃１から実際に受信する波長「λＡＴ′」は、光源１３１Ｂから光受信部１３３Ｂに実際に入力されるローカル光の波長「λＢ０」とは異なった波長になり得る。また、パス＃１の受信波長「λＡＴ′」は、ローカル光の設定波長「λｓｅｔ」とも異なり得る。
【００７８】
パス＃１とは逆方向のパス＃２についても同様である。例えば、ＴＲＰ＃Ａの光受信部１３３Ａにおいて、パス＃２から実際に受信する波長「λＢＴ′」は、光源１３１Ａから光受信部１３３Ａに実際に入力されるローカル光の波長「λＡ０」とは異なった波長になり得る。また、パス＃２の受信波長「λＢＴ′」は、ローカル光の設定波長「λｓｅｔ」とも異なり得る。
【００７９】
パス＃１の受信波長「λＡＴ′」と、ローカル光の波長「λＢ０」と、を一致させるためには、ローカル光の設定波長「λｓｅｔ」を調整すればよい。パス＃２についても、受信波長「λＢＴ′」と、ローカル光の波長「λＡ０」と、を一致させるためには、ローカル光の設定波長「λｓｅｔ」を調整すればよい。
【００８０】
しかし、ローカル光は送受信に共用であるため、ローカル光の設定波長λｓｅｔを変更すると、ＴＲＰ＃Ａ及び＃Ｂの双方において、光送信部１３２及び光受信部１３３の双方に入力されるローカル光の波長がそれぞれ変更されることになる。そのため、パス＃１及び＃２の双方について、受信波長とローカル光の波長とを精度良く一致させることは難しい。
【００８１】
また、図３に模式的に例示するように、受信波長「λＡＴ′」（又は「λＢＴ′」）と、ローカル光の波長「λＢ０」（又は「λＡ０」と、の波長差ａ，ｂが大きくなるほど、隣り合う波長帯域Ｂａ又はＢｂに対する波長間隔ｃが小さくなる。
【００８２】
例えば、ローカル光の波長λＢ０が短波長側の波長帯Ｂａに設定されている場合に、受信波長λＡＴ′がローカル光の波長λＢ０に対して長波長側にずれると、長波長側の波長帯Ｂｂに対する波長間隔ｃが小さくなる。
【００８３】
また、ローカル光の波長λＢ０が長波長側の波長帯Ｂｂに設定されている場合に、受信波長λＡＴ′がローカル光の波長λＢ０に対して短波長側にずれると、短波長側の波長帯Ｂａに対する波長間隔ｃが小さくなる。
【００８４】
なお、図３において、波長帯Ｂａの更に短波長側にも別の波長帯が信号光の伝送に割り当てられている場合や、波長帯Ｂｂの更に長波長側にも別の波長帯が信号光の伝送に割り当てられている場合もある。
【００８５】
別言すると、波長帯Ｂａ及びＢｂのいずれも短波長側及び長波長側の双方に別の波長帯が存在していることがある。その場合、受信波長λＡＴ′が長波長側及び短波長側のいずれにずれたとしても、隣り合う波長帯に対する波長間隔ｃが小さくなる。
【００８６】
波長間隔ｃが小さくなると、信号光間の波長クロストークによる雑音が増加し易く、結果として、信号光のＢＥＲが低下し易い。ＢＥＲが低下すると、既述のとおり、期待するＢＥＲを満たすプロテクション波長の監視時間が長期化し易い。
【００８７】
そのため、プロテクション波長には、ＷＤＭ光において隣り合う波長の間隔ｃが可能な限り大きい波長を選ぶことが望まれる。波長間隔を監視する手法の一例としては、ＮＭＳやＯＰＳが、光ネットワーク１を伝送されるＷＤＭ光に含まれる波長の情報を、各ＴＲＰ１２から定期又は不定期に収集して、波長間隔を算出する手法が挙げられる。
【００８８】
あるいは、ＮＭＳやＯＰＳに代わって、ＷＤＭ光の送受信に関わるＴＲＰ１２どうしが波長情報を送受信して、ＴＲＰ１２あるいは当該ＴＲＰ１２の接続されたノード１１が、波長間隔を算出する手法も考えられる。
【００８９】
しかし、波長間隔を算出する手法では、光ネットワーク１全体の波長情報を、いずれかのノード１１での利用可能な波長の追加及び削除も含めて、取得することになるため、光ネットワーク１の規模が大きくなるほど、波長間隔の算出に関わる処理量が増加する。
【００９０】
また、波長の追加や削除が生じた場合の対処や、波長情報を取得するための通信にエラーが生じた場合の対処を考慮するとなると、波長間隔を算出、監視するための手法が複雑化するおそれがある。
【００９１】
更に、ＯＴＮ信号のＢＥＲを検出（又は識別）して監視するためには、ＴＲＰ１２やノード１１に、４０Ｇｂｐｓや１００Ｇｂｐｓ、４００Ｇｂｐｓ等の伝送容量に応じたＯＴＵ及びＯＤＵのレイヤ機能を搭載することになり、コストが高くなる。なお、「ＯＴＵ」は、「optical channel transport unit」の略称であり、「ＯＤＵ」は、「optical channel data unit」の略称である。
【００９２】
そこで、本実施形態では、受信信号光のＢＥＲを検出、監視しなくても、実際の受信波長と、ローカル光の設定波長（λｓｅｔ）と、の波長差が相対的に小さいプロテクション波長を、個々のＴＲＰ１２で選択できるようにする。これにより、プロテクション波長の監視時間を短縮化でき、また、ネットワークコストの低減化を図ることができる。
【００９３】
図４に、一実施形態に係るＴＲＰ１２の構成例を示す。図４に示すＴＲＰ１２は、例示的に、既述のフレーマ１２１、ＤＳＰ１２２、光源１３１、及び、光受信部１３３に加えて、光セレクタ１３４を備えてよい。なお、図４において、図２に例示した光送信部１３２の図示は省略されている、と捉えてよい。
【００９４】
光セレクタ１３４は、例示的に、ＷＤＭ光に含まれる複数の波長のいずれかを選択的に光受信部１３３へ出力する。光セレクタ１３４は、波長選択スイッチ（ＷＳＳ）であってもよい。光セレクタ１３４が選択する波長は、例示的に、ＤＳＰ１２２によって制御されてよい。例えば、運用中であればワーク波長が光セレクタ１３４で選択され、ワーク波長に障害が発生した場合には、いずれかのプロテクション波長が光セレクタ１３４で選択される。
【００９５】
ＤＳＰ１２２には、例えば図５に示すように、アナログ−デジタル変換器（ＡＤＣ）２２１、分散補償部２２２、サンプリング位相同期部２２３、及び、適応等化部（ＡＥＱ）２２４が備えられてよい。また、ＤＳＰ１２２には、例示的に、周波数オフセットモニタ・補償部２２５、搬送波位相復元部２２６、及び、誤り訂正復号部２２７が備えられてよい。更に、ＤＳＰ１２２には、例示的に、波長決定部２２８及び記憶部２２９が備えられてよい。なお、「ＡＥＱ」は、「Adaptive Equalizer」の略称である。
【００９６】
ＡＤＣ２２１は、光受信部１３３でのコヒーレント検波によって復調された信号光に相当するアナログ電気信号をデジタルサンプリングしてデジタル電気信号に変換する。信号光が、偏波多重信号光である場合、既述のとおり、受信部１３３では、２つの異なる偏波成分（Ｘ，Ｙ）のそれぞれについて同相（Ｉ）成分及び直交（Ｑ）成分の信号光（ＸＩ，ＸＱ，ＹＩ，ＹＱ）が復調される。
【００９７】
そのため、ＡＤＣ２２１には、これら４レーン分の信号光に相当する電気信号（ＥＸＩ，ＥＸＱ，ＥＹＩ，ＥＹＱ）がＡＤＣ２２１に入力される。ＡＤＣ２２１は、各レーンに共通でもよいし個別でもよい。
【００９８】
ＡＤＣ２２１でのデジタルサンプリングによって、位相情報を含むアナログ波形情報がデジタル値に量子化される。このようにアナログ波形情報をデジタル値に変換することにより、様々な特性補償をデジタル値の演算処理にて実施することが可能となる。
【００９９】
分散補償部２２２は、例示的に、ＡＤＣ２２１から入力されたデジタル電気信号に対して、偏波成分毎の波長分散補償を実施する。波長分散補償には、例示的に、トランスバーサルフィルタ等の、波長分散による波形歪みをモデル化したデジタルフィルタを適用してよい。
【０１００】
サンプリング位相同期部２２３は、ＡＤＣ２２１でのデジタルサンプリングのタイミング（別言すると、周波数及び位相）を最適化するための処理を行なう。サンプリングタイミングの最適化は、例えば、サンプリングタイミングをデータパルスの中央に同期させることであってよい。
【０１０１】
ＡＥＱ２２４は、例示的に、デジタルフィルタの一例である有限インパルス応答（finite impulse response, FIR）フィルタを備えてよい。ＦＩＲフィルタは、便宜的に、「ＡＥＱフィルタ」と称してもよい。また、ＡＥＱ２２４は、便宜的に、ＡＥＱフィルタ２２４と称してもよい。
【０１０２】
ＦＩＲフィルタの係数を、例えば信号光の偏波変動よりも十分高速かつ適応的に更新することで、偏波変動や偏波モード分散（ＰＭＤ）に起因する波形歪みを適応的に等化して補償することができる。なお、ＦＩＲフィルタの係数は、フィルタパラメータの一例であり、便宜的に、「フィルタ係数」、「タップ係数」あるいは「等化ウェイト」と称してもよい。
【０１０３】
ＦＩＲフィルタのタップ係数を適応制御する手法（「アルゴリズム」と称してもよい。）の一例としては、ＣＭＡ（Constant Modulus Algorithm）法を適用してよい。ＣＭＡ法では、複素振幅の絶対値が一定になるように、タップ係数が適応的に更新される。
【０１０４】
周波数オフセットモニタ・補償部２２５は、例示的に、ＡＥＱ２２４の出力信号を基に、受信信号光とローカル光との間の周波数オフセットをモニタして補償する。「モニタ」は、「推定」、「測定」、又は、「検出」と言い換えてもよい。また、周波数オフセットモニタ・補償部２２５は、「周波数オフセットモニタ２２５」あるいは単に「モニタ２２５」と略称してもよい。
【０１０５】
周波数オフセットの推定には、例示的に、累乗法と呼ばれる推定方式や、累乗法よりも周波数オフセットの推定可能範囲を拡大化できるＰＡＤＥ（Pre-decision based Angle Differential frequency offset Estimator）法と呼ばれる推定方式等を適用してよい。
【０１０６】
なお、周波数オフセットモニタ２２５においてモニタされた周波数オフセットの情報（便宜的に「周波数オフセットモニタ情報」と称してよい。）は、例示的に、波長決定部２２８に与えられてよい。周波数オフセットモニタ情報は、図３に例示した波長差ａ，ｂを示す情報に相当する、と捉えてよい。
【０１０７】
搬送波位相復元部２２６は、周波数オフセットモニタ・補償部２２５にて周波数オフセットが補償された受信デジタル信号から雑音成分を除去し、正しい搬送波（キャリア）位相を推定し、受信デジタル信号の位相を、推定したキャリア位相に同期させる。雑音成分には、自然放出光（amplified spontaneous emission, ASE）雑音やレーザ位相雑音等が含まれ得る。
【０１０８】
キャリア位相の推定には、例示的に、デジタルループフィルタを用いて雑音の影響を除去するフィードバック法や、位相検出器で検出した推定位相差を平均化することで雑音の影響を除去するフィードフォワード法等を適用してよい。
【０１０９】
誤り訂正復号部２２７は、例えば、デジタル信号処理によって送信信号に付加された誤り訂正符号に基づいて、受信デジタル信号を誤り訂正復号化する。誤り訂正符号には、例示的に、ＬＤＰＣ（low-density parity-check code）やＦＥＣ（Forward Error Correction）符号が適用されてよい。受信信号光のＢＥＲは、例示的に、誤り訂正復号部２２７において検出することが可能である。
【０１１０】
波長決定部２２８は、例示的に、周波数オフセットモニタ２２５でモニタされた周波数オフセットの情報を基に、図３の波長間隔ｃが相対的に大きくなる波長を、ワーク波長の切り替え先のプロテクション波長に優先的に選択、決定してよい。なお、波長決定部２２８は、プロテクション波長を選択する「制御部」の一例である、と捉えてもよい。
【０１１１】
図３の波長間隔ｃが相対的に大きくなる波長は、別言すると、実際の受信波長とローカル光の波長との間の周波数オフセットに応じた波長差が相対的に小さい波長に相当する、と捉えてよい。
【０１１２】
記憶部２２９は、例示的に、モニタ２２５でモニタされた周波数オフセットモニタ情報を記憶してよい。記憶部２２９には、例示的に、ランダムアクセスメモリ（ＲＡＭ）やフラッシュメモリが適用されてよい。
【０１１３】
（第１実施例）
以下、上述した光ネットワーク１の動作例（第１実施例）として、周波数オフセットに基づくプロテクション波長の選択、決定の一例について、図６及び図７を参照して説明する。なお、周波数オフセットのモニタは、光ネットワーク１の運用開始前に実施されてよい。例えば、光ネットワーク１の運用開始前に、疎通テストのためのテスト信号光を光ネットワーク１に伝送し、テスト信号光の周波数オフセットをモニタしてよい。
【０１１４】
図６は、或るノード１１と、当該ノード１１に接続されたＴＲＰ１２と、に着目した構成例を示すブロック図であり、便宜的に、ＴＲＰ１２において、既述の光源１３１、光セレクタ１３４及び波長決定部２２８が備えられていることを模式的に示している。
【０１１５】
ＴＲＰ１２は、波長決定部２２８によって、周波数オフセットモニタ２２５でモニタされた周波数オフセットを基に、ワーク波長の切り替え先のプロテクション波長を選択、決定し、決定したプロテクション波長をノード１１に通知してよい。
【０１１６】
以下では、説明の便宜のために、図６のノード１１は、例示的に、図１のノード＃５に相当し、図６のＴＲＰ１２は、図１のＴＲＰ＃６に相当すると仮定する。そして、ＴＲＰ＃６において、ワークパスＣに対するプロテクションパスＤ及びＥのための２つの波長の周波数オフセットがモニタされる例について説明する。
【０１１７】
なお、ワークパスＣに割り当てられた波長を「ワーク波長Ｃ」又は単に「波長Ｃ」と表記し、プロテクションパスＤ及びＥに割り当てられた波長をそれぞれ「プロテクション波長Ｄ及びＥ」又は単に「波長Ｄ及びＥ」と表記することがある。
【０１１８】
図７に例示するように、ＴＲＰ１２（例えば、波長決定部２２８）は、ノード１１から周波数オフセットを測定するプロテクション波長の選択を促す通知を受信する（処理Ｐ１１）。当該通知は、便宜的に「プロテクション波長選択通知」と称してよい。
【０１１９】
プロテクション波長選択通知は、例示的に、ＮＭＳやＯＰＳ、オペレータ端末等がノード１１に対してプロテクション波長の選択に関わる制御を実施したことに応じて、ノード１１からＴＲＰ１２に与えられてよい。ノード１１とＴＲＰ１２との間の通知のための接続には、例示的に、ＬＡＮ（Local Area Network）が適用されてよい。
【０１２０】
ＴＲＰ１２は、プロテクション波長選択通知の受信に応じて、周波数オフセットが未測定の複数のプロテクション波長の中から１つ（例えば、波長Ｄ）を、周波数オフセットの測定対象に選択してよい（処理Ｐ１２）。
【０１２１】
測定対象の選択ポリシーは、より短い波長又は長い波長を優先的に選ぶポリシーでもよいし、ランダムに選ぶポリシーでもよい。周波数オフセットが未測定であるか否かは、例示的に、記憶部２２９に該当波長の周波数オフセットモニタ情報が記憶済みであるか否かを確認することで判断できる。
【０１２２】
測定対象の波長Ｄの選択に応じて、ＴＲＰ１２は、例示的に、光源１３１の発光波長を、測定対象に選択した波長Ｄに設定、制御してよい。併せて、ＴＲＰ１２は、光セレクタ１３４を通過させる波長を、測定対象に選択した波長Ｄに設定、制御してよい（処理Ｐ１３）。
【０１２３】
その後、ＴＲＰ１２は、信号光を正常に受信できていないことを示すアラーム信号が検出されているか否かを確認してよい（処理Ｐ１４及びＰ１５）。
【０１２４】
アラーム信号は、例示的に、信号光断（loss of light, LOL）の検出や、受信信号光の同期外れの検出に応じて、ＤＳＰ１２２によって生成される。受信信号光の同期外れは、ＤＰ−ＱＰＳＫの場合、例示的に、既述の４レーン分の信号の同期が外れていることをもって検出される。
【０１２５】
アラーム信号が検出されていれば（処理Ｐ１５でＹＥＳの場合）、ＴＲＰ１２は、アラーム信号が解除されるまで待機してよい。
【０１２６】
アラーム信号の解除が確認されると（処理Ｐ１５でＮＯの場合）、ＴＲＰ１２は、周波数オフセットモニタ２２５によって、光セレクタ１３４を通過した受信信号光とローカル光との間の周波数オフセットをモニタして波長差を収集してよい（処理Ｐ１６）。
【０１２７】
周波数オフセットのモニタ周期は、例示的に、１０〜１００ミリ秒（ｍｓ）等の一定周期であってよい。モニタ周期を短く設定し過ぎると、測定誤差が増大し得るため、モニタ周期は、許容される範囲で適切な周期に設定されてよい。
【０１２８】
ＴＲＰ１２は、例示的に、モニタ周期において得られた波長差の最大値と最小値とを取得し（処理Ｐ１７）、波長差の最大値と最小値との差分の絶対値が所定の閾値以下であるか否かをチェックしてよい（処理Ｐ１８）。
【０１２９】
絶対値が閾値を超過していれば（処理Ｐ１８でＮＯの場合）、ＴＲＰ１２は、当該モニタ周期で得られた波長差の変動が大き過ぎて信頼度の低いモニタ結果であると判断してよい。当該判断に応じて、ＴＲＰ１２は、処理Ｐ１４以降の処理へ戻って、波長差の測定をやり直してよい。
【０１３０】
なお、上述したアラーム確認処理（Ｐ１４及びＰ１５）は、オプション的な処理であってもよい。また、波長差の信頼度確認処理（処理Ｐ１７及びＰ１８）及び平均化処理（Ｐ１９）の一方又は双方についても、オプション的な処理であってよい。
【０１３１】
一方、波長差の最大値と最小値との差分の絶対値が閾値以下であれば（処理Ｐ１８でＹＥＳの場合）、ＴＲＰ１２は、当該モニタ周期で得られた波長差を平均化して（処理Ｐ１９）、記憶部２２９に記憶してよい（処理Ｐ２０）。
【０１３２】
その後、ＴＲＰ１２は、全てのプロテクション波長（例えば、波長Ｄ及びＥ）についての波長差の測定が完了したか否かをチェックしてよい（処理Ｐ２１）。
【０１３３】
未完了であれば（処理Ｐ２１でＮＯの場合）、ＴＲＰ１２は、処理Ｐ１２へ戻って、未測定のプロテクション波長（例えば、波長Ｅ）を測定波長に選択した上で、処理Ｐ１３以降の処理を実施してよい。
【０１３４】
一方、全てのプロテクション波長についての波長差の測定が完了すれば（処理Ｐ２１でＹＥＳの場合）、ＴＲＰ１２は、記憶部２２９の情報を基に、ワーク波長Ｃを切り替える先のプロテクション波長を選択、決定してよい。
【０１３５】
例えば、ＴＲＰ１２は、波長差の絶対値が相対的に小さい（非限定的な一例として、最小の）波長（Ｄ又はＥ）を、ワーク波長Ｃの切り替え先のプロテクション波長に選択、決定してよい（処理Ｐ２２）。
【０１３６】
プロテクション波長の選択、決定に応じて、ＴＲＰ１２は、決定したプロテクション波長の情報を、プロテクション波長選択通知の送信元であるノード１１に通知してよい（処理Ｐ２３）。
【０１３７】
これにより、ノード１１は、ワークパスＣに障害が発生した場合に、ワーク波長Ｃを、ＴＲＰ１２から通知された、波長差の絶対値が相対的に小さいプロテクション波長に切り替えることが可能になる。
【０１３８】
波長差の絶対値が相対的に小さいプロテクション波長は、波長クロストークによる雑音の影響を受けにくく、信号光の品質（例えば、ＢＥＲ）が低下しにくい波長であると云える。
【０１３９】
また、プロテクション波長の監視時間は、周波数オフセットをモニタすればよいので、ＢＥＲをモニタするよりも短時間でよい。例えば、１００ｍｓ程度あれば、十分な監視が可能である。
【０１４０】
したがって、ＢＥＲを監視する場合よりも短時間で信号品質の良いプロテクション波長を選択、決定することが可能となる。
【０１４１】
よって、障害の発生したワークパスを信号品質の良いプロテクションパスに切り替えるまでの時間を短縮化することができる。
【０１４２】
その結果、パス切り替えに制限時間（例えば、５０ｍｓ等）があっても、当該制限時間を満たすことが容易になる。
【０１４３】
（第２実施例）
次に、図８及び図９を参照して、第２実施例に係る、周波数オフセットに基づくプロテクション波長の選択、決定の一例について説明する。
【０１４４】
既述の第１実施例では、光ネットワーク１の運用開始前に、利用可能なプロテクション波長の全てについて周波数オフセットのモニタを実施して、ワーク波長の切り替え先となるプロテクション波長を１つ選択、決定した。
【０１４５】
これに対し、第２実施例では、例示的に、光ネットワーク１の運用開始前に、運用開始後に改めて周波数オフセットの測定候補とするプロテクション波長の数（Ｎｃ）を、利用可能な全プロテクション波長の数（Ｎａｌｌ）よりも少ない数に絞り込んでおく。なお、Ｎｃ及びＮａｌｌは、Ｎｃ＜Ｎａｌｌを満たす２以上の整数である。
【０１４６】
例えば図８に示すように、ＴＰＲ１２は、光ネットワーク１の運用開始前に、第１実施例において図７に例示した処理Ｐ１１〜Ｐ２０）を実施して、利用可能なＮａｌｌ個のプロテクション波長について周波数オフセットの測定を実施してよい（処理Ｐ３１）。
【０１４７】
そして、ＴＲＰ１２は、例えば、処理Ｐ２０で記憶部２２９に記憶された情報を基に、波長差の絶対値が相対的に小さい複数（Ｎｃ個）のプロテクション波長を、運用開始後の周波数オフセットの測定候補に選択してよい（処理Ｐ３２）。
【０１４８】
そして、ＴＲＰ１２は、例えば、運用開始後のワークパスの障害検出に応じて、絞り込んでおいたＮｃ個のプロテクション波長について周波数オフセットの測定を行ない、相対的に波長差の小さい波長を切り替え先のプロテクション波長に選んでよい。
【０１４９】
例えば図９に示すように、ＴＲＰ１２（例示的に、図６に示した波長決定部２２８）において、ワークパス（例えば、波長Ｃ）の信号断が検出されたと仮定する（処理Ｐ４１）。
【０１５０】
ワークパスの信号断検出に応じて、ＴＲＰ１２は、運用開始前に絞り込んでおいた測定候補のＮｃ個のプロテクション波長の中から１つを、周波数オフセットの測定対象に選択してよい（処理Ｐ４２）。
【０１５１】
測定対象のプロテクション波長の選択に応じて、ＴＲＰ１２は、例示的に、光源１３１の発光波長を、測定対象に選択した波長に設定、制御してよい。併せて、ＴＲＰ１２は、光セレクタ１３４を通過させる波長を、測定対象に選択した波長に設定、制御してよい（処理Ｐ４３）。
【０１５２】
その後、ＴＲＰ１２は、信号光を正常に受信できていないことを示すアラーム信号が検出されていない（別言すると、アラーム信号が解除されている）ことを確認してよい（処理Ｐ４４及びＰ４５）。
【０１５３】
アラーム信号が検出されていれば（処理Ｐ４５でＹＥＳの場合）、ＴＲＰ１２は、アラーム信号が解除されるまで待機してよい。
【０１５４】
アラーム信号が解除されたことの確認に応じて（処理Ｐ４５でＮＯの場合）、ＴＲＰ１２は、周波数オフセットモニタ２２５にて、光セレクタ１３４を通過した受信信号光とローカル光との間の周波数オフセットをモニタして波長差を収集してよい（処理Ｐ４６）。
【０１５５】
周波数オフセットのモニタ周期は、例示的に、１０〜１００ｍｓｅｃ等の一定周期であってよい。モニタ周期を短く設定し過ぎると、測定誤差が増大し得るため、モニタ周期は、許容される範囲で適切な周期に設定されてよい。
【０１５６】
ＴＲＰ１２は、例示的に、モニタ周期において得られた波長差の最大値と最小値とを取得し（処理Ｐ４７）、波長差の最大値と最小値との差分の絶対値が所定の閾値以下であるか否かをチェックしてよい（処理Ｐ４８）。
【０１５７】
絶対値が閾値を超過している場合（処理Ｐ４８でＮＯの場合）、ＴＲＰ１２は、当該モニタ周期で得られた波長差の変動が大き過ぎて信頼度の低いモニタ結果であると判断してよい。当該判断に応じて、ＴＲＰ１２は、処理Ｐ４４以降の処理に戻って、波長差の測定をやり直してよい。
【０１５８】
なお、上述したアラーム確認処理（Ｐ４４及びＰ４５）は、オプション的な処理であってもよい。また、波長差の信頼度確認処理（処理Ｐ４７及びＰ４８）及び平均化処理（Ｐ４９）の一方又は双方についても、オプション的な処理であってよい。
【０１５９】
一方、波長差の最大値と最小値との差分の絶対値が閾値以下であれば（処理Ｐ４８でＹＥＳの場合）、ＴＲＰ１２は、当該モニタ周期で得られた波長差を平均化して（処理Ｐ４９）、記憶部２２９に記憶してよい（処理Ｐ５０）。
【０１６０】
その後、ＴＲＰ１２は、運用開始前に絞り込まれたＮｃ個の全てのプロテクション波長について、波長差の測定が完了したか否かをチェックしてよい（処理Ｐ５１）。
【０１６１】
未完了であれば（処理Ｐ５１でＮＯの場合）、ＴＲＰ１２は、処理Ｐ４２へ戻って、測定候補のＮｃ個のプロテクション波長のうちの未測定のプロテクション波長を、新たな測定対象に選択した上で、処理Ｐ４３以降の処理を実施してよい。
【０１６２】
一方、運用開始前に絞り込まれたＮｃ個のプロテクション波長の周波数オフセット測定が完了してれば（処理Ｐ５１でＹＥＳの場合）、ＴＲＰ１２は、記憶部２２９の情報を基に、ワーク波長Ｃのプロテクション波長への切り替えを実施してよい。
【０１６３】
例えば、ＴＲＰ１２は、光源１３１の発光波長を、ワーク波長から、波長差の絶対値が相対的に小さい（非限定的な一例として、最小の）波長に変更することで、ワーク波長Ｃを当該プロテクション波長に切り替えてよい（処理Ｐ５２）。
【０１６４】
以上のように、第２実施例によれば、光ネットワーク１の運用開始前に、周波数オフセットの測定候補のプロテクション波長を絞り込んでおくため、運用開始後のワーク波長の障害検出からプロテクション波長への切り替えまでの時間を短縮できる。
【０１６５】
また、第２実施例では、運用開始後のワーク波長の障害検出に応じて、運用開始前に絞り込まれたプロテクション波長について、再度、周波数オフセットを測定、確認するため、パス切り替えの信頼度を向上できる。
【０１６６】
例えば、第２実施例によれば、波長差が相対的に小さく信号品質の良いプロテクション波長が運用開始前後で異なることがあっても、運用開始後に信号品質が相対的に良いプロテクション波長に、ワーク波長を確実に切り替えることができる。
【０１６７】
したがって、運用開始後に信号品質が相対的に劣化したプロテクション波長が、ワーク波長の切り替え先に選ばれてしまうことを回避あるいは抑制でき、パス切り替えの信頼度を向上できる。
【０１６８】
（第３実施例）
次に、図１０及び図１１を参照して、第３実施例に係る、周波数オフセットに基づくプロテクション波長の選択、決定の一例について説明する。
【０１６９】
図１０は、図６と同様に、或るノード１１と、当該ノード１１に接続されたＴＲＰ１２と、に着目した構成例を示すブロック図である。図１０において、ノード１１は、例示的に、通信部１１１と、制御部１１２と、記憶部１１３と、を備えてよい。
【０１７０】
通信部１１１は、ＴＲＰ１２と通信して、ＴＲＰ１２に対して既述のプロテクション波長選択通知を行なったり、ＴＲＰ１２からＴＲＰ１２が選択、決定したプロテクション波長の情報を受信したりすることができる。
【０１７１】
第３実施例において、ＴＲＰ１２は、第１実施例（図７）又は第２実施例（図９）にて説明したようにプロテクション波長の周波数オフセットを測定してよい。また、ＴＲＰ１２は、光ネットワーク１の運用開始後に、周波数オフセットモニタ２２５にて、ワーク波長の周波数オフセットを測定してよい。ワーク波長の周波数オフセットの測定は、光ネットワーク１の運用開始後に周期的に実施されてよい。
【０１７２】
そして、ＴＲＰ１２は、測定したワーク波長及びプロテクション波長の各周波数オフセットの情報を、ノード１１に送信してよい。ノード１１は、当該周波数オフセットの情報を、例えば通信部１１１にて受信してよい。
【０１７３】
通信部１１１で受信された周波数オフセットの情報は、例示的に、制御部１１２に与えられてよい。制御部１１２は、ワーク波長及びプロテクション波長の各周波数オフセットの情報を、ワークルート及びプロテクションルートに対応付けて記憶部１１３に記憶してよい。
【０１７４】
図１１に、記憶部１１３に記憶される情報の一例を示す。当該情報は、ノード１１によるプロテクション波長の周波数オフセットに基づく再選択を可能にする情報の一例であり、便宜的に、「波長ルート対プロテクション波長選択情報」と称してよい。「波長ルート対プロテクション波長選択情報」は、図１１に例示するように、テーブル形式の情報として記憶部１１３に記憶されてよい。
【０１７５】
図１１の例では、ＴＲＰ１２が波長λ１〜λ８の８波長を受信可能であり、波長λ１が「運用中」の波長（ワーク波長）であり、波長λ２〜λ８がワーク波長λ１に対するプロテクション波長に利用可能であると仮定している。
【０１７６】
図１１に例示するように、波長λ１〜λ８毎に、「ルート」、「周波数オフセット」（立ち上げ時、運用時、トータル）、及び、「プロテクション候補」の情報が、記憶部１１３に記憶されてよい。
【０１７７】
「ルート」には、波長λ１〜λ８のそれぞれが割り当てられているルートを示す情報が登録可能である。図１１の例では、波長λ１、λ７及びλ８が、図１に例示したルートＣに割り当てられている。同様に、波長λ２、λ３、λ６は、ルートＤに割り当てられ、波長λ４及びλ５が、ルートＥに割り当てられている。なお、どのルートにどの波長が割り当てられているかを示す情報は、ノード１１で把握、識別可能な情報である。
【０１７８】
また、「周波数オフセット」には、例示的に、光ネットワーク１の「立ち上げ時」及び「運用時」に測定された周波数オフセットの情報と、「立ち上げ時」及び「運用時」の周波数オフセットの合計（トータル）と、が登録可能である。
【０１７９】
更に、「プロテクション候補」には、波長λ１〜λ８のいずれが運用中（別言すると、ワーク波長）であるかを示す情報と、当該ワーク波長に対するプロテクション波長を示す情報と、が登録可能である。
【０１８０】
制御部１１２は、図１１において、ワーク波長λ１の「周波数オフセット（運用時）」を、ワーク波長λ１と同じルートＣに割り当てられているプロテクション波長λ７及びλ８の「周波数オフセット（運用時）」に登録してよい。
【０１８１】
別言すると、制御部１１２は、ワーク波長λ１と同じルートＣに割り当てられているプロテクション波長λ７及びλ８の「周波数オフセット（運用時）」を、ワーク波長λ１の「周波数オフセット（運用時）」で更新してよい。
【０１８２】
ワーク波長λ１と同じルートＣに割り当てられている波長λ７及びλ８には、ワーク波長λ１と同等の周波数オフセットが生じていると推定、判断することが許容されるからである。
【０１８３】
そして、制御部１１２は、「立ち上げ時」及び「運用時」の「周波数オフセット」の「トータル」を基に、ワーク波長の切り替え先となるプロテクション波長候補を再選択してよい。
【０１８４】
例えば、ワーク波長λ１の周波数オフセットに変動があれば、当該変動がプロテクション波長λ７及びλ８の周波数オフセット（運用時）に反映される。したがって、制御部１１２は、当該変化の反映された各プロテクション波長の「トータル」の周波数オフセットが相対的に小さい波長を、ワーク波長λ１の切り替え先のプロテクション波長候補に選び直してよい。
【０１８５】
これにより、ノード１１は、ワーク波長の周波数オフセットに変動があっても、当該変動に応じて適応的に、より信号品質の良いプロテクション波長を選び直すことができるので、パス切り替えの信頼度を向上できる。
【０１８６】
なお、ＴＲＰ１２がノード１１に内蔵されている場合、ノード１１の制御部１１２とＴＲＰ１２の波長決定部２２８とは、１つの制御部として統合されてもよい。また、ノード１１の記憶部１１３とＴＲＰ１２の記憶部２２９とについても、１つの記憶部に統合されてよい。
【０１８７】
（第４実施例）
次に、図１２〜図１８を参照して、第４実施例に係る、周波数オフセットに基づくプロテクション波長の選択、決定の一例について説明する。既述の第３実施例では、１つのＴＲＰ１２についてのプロテクション波長の選択、決定について説明した。第４実施例では、複数のＴＲＰ１２についてのプロテクション波長の選択、決定について説明する。
【０１８８】
図１２は、或るノード１１と、当該ノード１１に接続された複数のＴＲＰ１２（＃１−ｘ）と、に着目した構成例を示すブロック図である。なお、ｘは、２以上の整数であり、図１２の例では、ｘ＝１〜３のいずれかである。
【０１８９】
図１２において、各ＴＲＰ＃１−ｘは、いずれも、図１０に例示したＴＲＰ１２の構成例と同一若しくは同様でよい。また、ノード１１も、図１０に例示した構成例と同一若しくは同様でよい。
【０１９０】
図１３に例示するように、ノード１１は、例えば制御部１１２及び通信部１１１によって、各ＴＲＰ＃１−ｘに対して、周波数オフセットを測定するプロテクション波長を通知してよい（処理Ｐ６１）。当該通知（「指定」と称してもよい。）は、例示的に、光ネットワーク１の運用開始前（例えば、各ＴＲＰ＃１−ｘの立ち上げ時等）に実施されてよい。
【０１９１】
各ＴＲＰ＃１−ｘは、それぞれ、ノード１１から周波数オフセットを測定するプロテクション波長の通知を受信する（処理Ｐ７１）。当該通知の受信に応じて、各ＴＲＰ＃１−ｘは、それぞれ、例えば、波長決定部２２８によって、第１〜第３実施例と同様にして、指定のプロテクション波長の周波数オフセットを周期的にモニタして波長差を収集してよい（処理Ｐ７２）。
【０１９２】
例えば図１８に示すように、ＴＲＰ＃１−ｘは、光源１３１の発光波長を、ノード１１から通知されたプロテクション波長に設定、制御してよい。併せて、ＴＲＰ＃１−ｘは、光セレクタ１３４を通過させる波長を、ノード１１から通知されたプロテクション波長に設定、制御してよい（処理Ｐ７２１）。
【０１９３】
その後、ＴＲＰ＃１−ｘは、信号光を正常に受信できていないことを示すアラーム信号が検出されているか否かを確認してよい（処理Ｐ７２２及びＰ７２３）。
【０１９４】
アラーム信号が検出されていれば（処理Ｐ７２３でＹＥＳの場合）、ＴＲＰ＃１−ｘは、アラーム信号が解除されるまで待機してよい。
【０１９５】
アラーム信号の解除が確認されると（処理Ｐ７２３でＮＯの場合）、ＴＲＰ＃１−ｘは、周波数オフセットモニタ２２５によって、受信信号光とローカル光との間の周波数オフセットをモニタして波長差を収集してよい（処理Ｐ７２４）。
【０１９６】
周波数オフセットのモニタ周期は、例示的に、１０〜１００ミリ秒（ｍｓ）等の一定周期であってよい。モニタ周期を短く設定し過ぎると、測定誤差が増大し得るため、モニタ周期は、許容される範囲で適切な周期に設定されてよい。
【０１９７】
ＴＲＰ＃１−ｘは、例示的に、モニタ周期において得られた波長差の最大値と最小値とを取得し（処理Ｐ７２５）、波長差の最大値と最小値との差分の絶対値が所定の閾値以下であるか否かをチェックしてよい（処理Ｐ７２６）。
【０１９８】
波長差の最大値と最小値との差分の絶対値が閾値を超過していれば（処理Ｐ７２６でＮＯの場合）、ＴＲＰ＃１−ｘは、当該モニタ周期で得られた波長差の変動が大き過ぎて信頼度の低いモニタ結果であると判断してよい。当該判断に応じて、ＴＲＰ＃１−ｘは、処理Ｐ７２２以降の処理へ戻って、波長差の測定をやり直してよい。
【０１９９】
一方、波長差の最大値と最小値との差分の絶対値が閾値以下であれば（処理Ｐ７２６でＹＥＳの場合）、ＴＲＰ＃１−ｘは、当該モニタ周期で得られた波長差を平均化してよい（処理Ｐ７２７）。平均化された波長差は、例示的に、記憶部２２９に記憶されてよい。
【０２００】
なお、上述したアラーム確認処理（Ｐ７２２及びＰ７２３）は、オプション的な処理であってもよい。また、波長差の信頼度確認処理（処理Ｐ７２５及びＰ７２６）及び平均化処理（Ｐ７２７）の一方又は双方についても、オプション的な処理であってよい。
【０２０１】
各ＴＲＰ＃１−ｘは、図１３に例示するように、それぞれ、平均化した波長差をノード１１へ通知してよい（処理Ｐ７３）。当該通知は、例示的に、波長決定部２２８によって実施されてよい。
【０２０２】
一方、ノード１１は、処理Ｐ６１にて周波数オフセットを測定するプロテクション波長を通知した各ＴＲＰ＃１−ｘから、それぞれで測定された波長差を受信したか否かを確認してよい（処理Ｐ６２）。
【０２０３】
いずれかのＴＲＰ＃１−ｘから波長差の測定結果が未受信であれば（処理Ｐ６２でＮＯの場合）、ノード１１は、全てのＴＲＰ＃１−ｘから波長差の測定結果を受信できるまで（処理Ｐ６２でＹＥＳと判定されるまで）、処理Ｐ６１以降の処理を繰り返してよい。
【０２０４】
全てのＴＲＰ＃１−ｘから波長差の測定結果を受信できれば（処理Ｐ６２でＹＥＳの場合）、ノード１１は、例えば図１５に例示するように、ＴＲＰ＃１−ｘ毎に、プロテクション波長（例示的に、λ１〜λ３の３波長）と、波長差と、を対応付けた情報を生成、構築できる。
【０２０５】
図１５に例示する情報は、便宜的に、「ＴＲＰ毎波長対波長差情報」と称してよい。「ＴＲＰ毎波長対波長差情報」は、例示的に、ノード１１の制御部１１２によって生成されてよく、図１５に例示するようにテーブル形式の情報として、記憶部１１３に記憶されてよい。
【０２０６】
ノード１１は、図１５に例示したＴＲＰ毎波長対波長差情報に基づいて、図１４に例示するように、プロテクション波長毎に、波長差の絶対値によってＴＲＰ＃１−ｘをソートしてよい（処理Ｐ６３）。
【０２０７】
当該ソートは、例示的に、制御部１１２によって実施されてよく、例えば昇順でよい。波長差の同じプロテクション波長が存在する場合、例示的に、ＴＲＰ＃１−ｘに割り当てられている番号（例えば、ｘ）の昇順でＴＲＰ＃１−ｘをソートしてよい。
【０２０８】
図１６に、ソート結果の一例を示す。図１６の例では、プロテクション波長λ１について、ＴＲＰ＃１−１，＃１−２，＃１−３の順にＴＲＰ＃１−ｘがソートされる。プロテクション波長λ２については、ＴＲＰ＃１−２，＃１−１，＃１−３の順にＴＲＰ＃１−ｘがソートされる。プロテクション波長λ３については、ＴＲＰ＃１−３，＃１−１，＃１−３の順にＴＲＰ＃１−ｘがソートされる。
【０２０９】
ソート結果を基に、ノード１１は、例示的に、プロテクション波長λ１〜λ３毎に、波長差が最小のＴＲＰ＃１−ｘを選択してよい（図１４の処理Ｐ６４）。例えば図１７に示すように、プロテクション波長λ１についてはＴＲＰ＃１−１が選択され、プロテクション波長λ２についてはＴＲＰ＃１−２が選択され、プロテクション波長λ３についてはＴＲＰ＃１−３が選択されてよい。
【０２１０】
ノード１１は、選択したＴＲＰ＃１−ｘのそれぞれに対して、対応するプロテクション波長を通知してよい（図１４の処理Ｐ６５）。例えば、ノード１１は、ＴＲＰ＃１−１に対してプロテクション波長λ１を通知し、ＴＲＰ＃１−２に対してプロテクション波長λ２を通知し、ＴＲＰ＃１−３に対してプロテクション波長λ３を通知してよい。
【０２１１】
これにより、各ＴＲＰ＃１−ｘは、それぞれ、ワーク波長に障害が生じた場合の切り替え先のプロテクション波長を、ノード１１から通知された、波長差が相対的に小さく信号品質の良い波長に決定、設定できる。
【０２１２】
なお、上述した例では、ノード１１において各ＴＲＰ＃１−ｘのプロテクション波長の選択、決定を実施しているが、ＴＲＰ＃１−ｘどうしで測定した波長差の情報を通信することで、ＴＲＰ＃１−ｘが自律的にプロテクション波長の選択、決定を実施してもよい。
【０２１３】
また、各ＴＲＰ＃１−ｘがノード１１に内蔵されている場合、ノード１１の制御部１１２と各ＴＲＰ＃１−ｘの波長決定部２２８とは、１つの制御部として統合されてもよい。また、ノード１１の記憶部１１３と各ＴＲＰ＃１−ｘの記憶部２２９とについても、１つの記憶部に統合されてよい。
【０２１４】
（第５実施例）
図１２に示した第４実施例の構成において、ノード１１は、ＴＲＰ＃１−ｘ毎に、第３実施例と同様に、ワーク波長の周波数オフセットの変動に応じて、当該ワーク波長と同じルートに割り当てられているプロテクション波長の周波数オフセットを更新してよい。
【０２１５】
例えば、ノード１１は、記憶部１１３において、図１１に例示した「波長ルート対プロテクション波長選択情報」を、図１９に例示するようにＴＲＰ＃１−ｘ毎に拡張した情報を記憶してよい。
【０２１６】
図１９に例示する情報は、ＴＲＰ＃１−ｘ毎に、プロテクション波長の周波数オフセットに基づく再選択を可能にする情報の一例であり、便宜的に、「ＴＲＰ毎波長ルート対プロテクション波長選択情報」と称してよい。
【０２１７】
ノード１１は、各ＴＲＰ＃１−ｘから通知された、ワーク波長及びプロテクション波長の周波数オフセット情報を基に、例えば制御部１１２において、「ＴＲＰ毎波長ルート対プロテクション波長選択情報」を生成、構築することが可能である。
【０２１８】
図１９の例では、ＴＲＰ＃１−ｘのそれぞれが波長λ１〜λ８の８波長を受信可能であると仮定している。ＴＲＰ＃１−１では、例示的に、波長λ１が「運用中」の波長（ワーク波長）であり、波長λ４〜λ８がワーク波長λ１に対するプロテクション波長に利用可能である。なお、波長λ２及びλ３は、ＴＲＰ＃１−１において、プロテクション波長に利用できない（not available, NA）設定である。
【０２１９】
ＴＲＰ＃１−２では、例示的に、波長λ２がワーク波長であり、波長λ１及び波長λ３〜λ８がワーク波長λ２に対するプロテクション波長に利用可能であり、波長λ１はプロテクション波長に利用できない設定（ＮＡ）である。
【０２２０】
ＴＲＰ＃１−３では、例示的に、波長λ３がワーク波長であり、波長λ４〜λ８がワーク波長λ３に対するプロテクション波長に利用可能であり、波長λ１及びλ２はプロテクション波長に利用できない設定（ＮＡ）である。
【０２２１】
図１９に例示するように、「ＴＲＰ毎波長ルート対プロテクション波長選択情報」は、ＴＲＰ＃１−ｘ毎、かつ、波長λ１〜λ８毎に、「ルート」、「周波数オフセット」（立ち上げ時、運用時、トータル）、及び、「プロテクション候補」の情報を含んでよい。
【０２２２】
「ルート」には、波長λ１〜λ８のそれぞれが割り当てられているルートを示す情報が登録可能である。図１９の例では、ＴＲＰ＃１−１の波長λ１及びλ５が、図１に例示したルートＣに割り当てられ、波長λ２、λ４、λ７及びλ８が、ルートＤに割り当てられ、波長λ３及びλ６が、ルートＥに割り当てられていることが示されている。
【０２２３】
また、「周波数オフセット」には、例示的に、光ネットワーク１の「立ち上げ時」及び「運用時」に測定された周波数オフセットの情報と、「立ち上げ時」及び「運用時」の周波数オフセットの合計（トータル）と、が登録可能である。
【０２２４】
更に、「プロテクション候補」には、波長λ１〜λ８のいずれが運用中（別言すると、ワーク波長）であるかを示す情報と、当該ワーク波長に対するプロテクション波長を示す情報と、が登録可能である。
【０２２５】
制御部１１２は、図１９において、ＴＲＰ＃１−１におけるワーク波長λ１の「周波数オフセット（運用時）」によって、当該ワーク波長λ１と同じルートＣに割り当てられているプロテクション波長λ５の「周波数オフセット（運用時）」を更新してよい。ワーク波長λ１と同じルートＣに割り当てられている波長λ５には、ワーク波長λ１と同等の周波数オフセットが生じていると推定、判断することが許容されるからである。
【０２２６】
同様に、制御部１１２は、ＴＲＰ＃１−２におけるワーク波長λ２の「周波数オフセット（運用時）」によって、当該ワーク波長λ２と同じルートＤに割り当てられているプロテクション波長λ４、λ７及びλ８の「周波数オフセット（運用時）」を更新してよい。
【０２２７】
また、制御部１１２は、ＴＲＰ＃１−３におけるワーク波長λ３の「周波数オフセット（運用時）」によって、当該ワーク波長λ３と同じルートＥに割り当てられているプロテクション波長λ４、λ７及びλ８の「周波数オフセット（運用時）」を更新してよい。
【０２２８】
そして、制御部１１２は、「立ち上げ時」及び「運用時」の「周波数オフセット」の「トータル」を基に、ＴＲＰ＃１−ｘ毎に、ワーク波長の切り替え先となるプロテクション波長候補を再選択してよい。
【０２２９】
例えば、ワーク波長λ１〜λ３のいずれかの周波数オフセットに変動があれば、当該変動が、当該ワーク波長の割り当てられているルートと同じルートに割り当てられているプロテクション波長の「運用時」の周波数オフセットに反映される。
【０２３０】
したがって、制御部１１２は、ＴＲＰ＃１−ｘ毎に、当該変動の反映された各プロテクション波長の「トータル」の周波数オフセットが相対的に小さい波長を、ワーク波長の切り替え先のプロテクション波長候補に選び直してよい。
【０２３１】
これにより、ノード１１は、ワーク波長の周波数オフセットに変動があっても、当該変動に応じて適応的に、より信号品質の良いプロテクション波長を、ＴＲＰ＃１−ｘ毎に選び直すことができるので、パス切り替えの信頼度を向上できる。
【符号の説明】
【０２３２】
１  光伝送システム（光ネットワーク）
１１−１〜１１−ｎ  光伝送システム
１２−１〜１２−１２  トランスポンダ（ＴＲＰ）ユニット
１１１  通信部
１１２  制御部
１１３  記憶部
１２１Ａ，１２１Ｂ  フレーマ
１２２Ａ，１２２Ｂ  デジタル信号処理部（ＤＳＰ）
１２３Ａ，１２３Ｂ  光送受信部
１３１Ａ，１３１Ｂ  光源
１３２Ａ，１３２Ｂ  光送信部
１３３Ａ，１３３Ｂ  光受信部
１３４  光セレクタ
２２１  アナログ−デジタル変換器（ＡＤＣ）
２２２  分散補償部
２２３  サンプリング位相同期部
２２４  適応等化部（ＡＥＱ）
２２５  周波数オフセットモニタ・補償部
２２６  搬送波位相復元部
２２７  誤り訂正復号部
２２８  波長決定部
２２９  記憶部
【図１】
2017028405.tif 000003
【図２】
2017028405.tif 000004
【図３】
2017028405.tif 000005
【図４】
2017028405.tif 000006
【図５】
2017028405.tif 000007
【図６】
2017028405.tif 000008
【図７】
2017028405.tif 000009
【図８】
2017028405.tif 000010
【図９】
2017028405.tif 000011
【図１０】
2017028405.tif 000012
【図１１】
2017028405.tif 000013
【図１２】
2017028405.tif 000014
【図１３】
2017028405.tif 000015
【図１４】
2017028405.tif 000016
【図１５】
2017028405.tif 000017
【図１６】
2017028405.tif 000018
【図１７】
2017028405.tif 000019
【図１８】
2017028405.tif 000020
【図１９】
2017028405.tif 000021